(57)【要約】【課題】シール弁の表面に付着した血液や薬液を綿棒等で容易に拭き取り消毒可能にする。【解決手段】混注管１のシール弁５を押さえるキャップ部材４に、ロック式注射器又はロック式コネクタの先端導管部の周囲に設けられたネジ部を係合するための係合部６を設ける。当該係合部６に隣接する位置に、シール弁５の頂部上面に横方向からアクセス可能なアクセス領域１１を形成する。アクセス領域１１の底面１１ａとシール弁５の頂部上面周縁部をほぼ同じ高さで連続させる。【選択図】図４Ｂ
2014117461.tif 000002
【特許請求の範囲】
【請求項１】
混注管本体と、
前記混注管本体の開口部に装着され、頂部に弁孔が形成されたシール弁と、
前記混注管本体に取り付けられ、前記シール弁を前記混注管本体の開口部に保定する保定部と、前記シール弁を押し開くロック式注射器又はロック式コネクタの先端導管部の周囲に設けられたネジ部が係合可能な係合部を備えたキャップ部材とを備え、
前記キャップ部材の前記係合部に隣接する位置に、前記シール弁の頂部上面に横方向からアクセス可能なアクセス領域が形成され、当該アクセス領域の底面と、前記シール弁の頂部上面周縁部がほぼ同じ高さで連続されていることを特徴とする混注管。
【請求項２】
前記シール弁の頂部上面に、中央部がすり鉢状に窪んだ凹部と、当該凹部の周縁部に位置し前記ロック式注射器又はロック式コネクタの先端導管部が当接可能な平らな環状部が形成されていることを特徴とする請求項１の混注管。
【請求項３】
前記アクセス領域の底面の端に形成された下り斜面が前記環状部に連続されていることを特徴とする請求項２の混注管。
【請求項４】
前記係合部は、周方向に分割された複数の係合片で構成され、当該係合片の上端部に、ロック式注射器又はロック式コネクタのネジ部に係合する凸条部が形成され、当該係合片相互間に前記アクセス領域が形成されていることを特徴とする請求項１から３のいずれか１の混注管。
【請求項５】
前記係合片が、前記混注管本体の軸線方向に対向した一対で構成されていることを特徴とする請求項４の混注管。
【請求項６】
前記シール弁が、略半球状または有天円筒状であることを特徴とする請求項１から５のいずれか１の混注管。
【発明の詳細な説明】
【技術分野】
【０００１】
本発明は、例えば、輸液や薬液が封入される医療用バッグ、医療用ボトル、医療用瓶などの医療用容器や輸液配管に接続される混注管に関するものである。
【背景技術】
【０００２】
例えば、薬液の点滴や人工透析に用いられる輸液配管の途中には、輸液の抽出や薬液の混入などを行うために、混注管が取り付けられる（例えば特許文献１（特開２０１１−１８３１１３号公報）参照）。この混注管は、配管の上流側と下流側をつなぐ主流路及び当該主流路に連通する分岐路を備えた混注管本体と、分岐路を密封し必要に応じて外部への連通を可能にするシール弁とを備えている。
【０００３】
そして、分岐路にロック式注射器やロック式コネクタを接続し、その先端部でシール弁を押し開いて連通することにより、主流路に対して薬液や血液の注入・抽出を行なうようにしている。ロック式注射器やロック式コネクタは、シール弁を押し開く先端導管部の周りに雌ネジ付きカラーを有し、当該雌ネジ付きカラーを、分岐路に設けられた雄ネジ付き円筒部に螺合させて分岐路に接続するようにしている。
【発明の開示】
【０００４】
ロック式注射器やロック式コネクタを混注管の分岐路に接続する従来の接続構造では、シール弁が分岐路の雄ネジ付き円筒部の底部に配置された形になるため、シール弁の表面に付着した血液や薬液を拭き取り消毒するのが容易ではない。混注管の衛生確保のためには、外部に露出したシール弁の表面を綿棒、綿球等で手早く拭き取り消毒する必要がある。
【先行技術文献】
【特許文献】
【０００５】
【特許文献１】特開２０１１−１８３１１３号公報
【発明の概要】
【発明が解決しようとする課題】
【０００６】
本発明の目的は、シール弁の表面に付着した血液や薬液を容易に拭き取り消毒可能にすることにある。
【課題を解決するための手段】
【０００７】
本発明は、前記目的を達成するため、混注管本体と、前記混注管本体の開口部に装着され、頂部に弁孔が形成されたシール弁と、前記混注管本体に取り付けられ、前記シール弁を前記混注管本体の開口部に保定する保定部と、前記シール弁を押し開くロック式注射器又はロック式コネクタの先端導管部の周囲に設けられたネジ部が係合可能な係合部を備えたキャップ部材とを備え、前記キャップ部材の前記係合部に隣接する位置に、前記シール弁の頂部上面に横方向からアクセス可能なアクセス領域が形成され、当該アクセス領域の底面と、前記シール弁の頂部上面周縁部がほぼ同じ高さで連続されていることを特徴とする混注管である。
【０００８】
前記シール弁の頂部上面は、例えば、中央部がすり鉢状に窪んだ凹部と、当該凹部の周縁部に位置し前記ロック式注射器又はロック式コネクタの先端導管部が当接可能な平らな環状部で形成することができる。このような形状にすることで、シール弁の表面に付着した血液や薬液の拭き取り消毒が容易になる。
【０００９】
前記アクセス領域の底面の端に下り斜面を形成し、当該斜面を前記環状部に連続させることができる。このような斜面を形成することで、シール弁の表面に付着した血液や薬液の掻き出しが容易になる。
【００１０】
前記係合部は、平面視Ｃ字状の単一の係合片で形成したり、周方向に分割された複数の係合片で構成したりすることができる。そして、前記Ｃ字状の開口部や係合片相互間に前記アクセス領域が形成される。また、係合片の上端部には、ロック式注射器又はロック式コネクタのネジ部に係合する凸条部が形成される。このような凸条部は、完全なネジの一部としてらせん状に形成してもよいし、形成容易化のため、らせん状に代えて水平テーパ状に張り出した形状としてもよい。
【００１１】
前記係合片は、前記混注管本体の軸線方向に対向した一対で構成することができる。この場合、アクセス領域が混注管本体を横切るように一対で形成されるため、消毒用アルコールを含浸させた綿棒等の掃除具を、アクセス領域を通して水平に移動させることで、シール弁の頂部上面を効率的に清掃消毒することができる。
【００１２】
前記シール弁は、例えば略半球状または有天円筒状とすることができる。シール弁をこのような形状とすることで、ロック式注射器又はロック式コネクタの先端導管部でシール弁の弁孔を容易に押し開くことができると共に、当該先端導管部を引き抜いた後のシール弁の弾性による弁孔の封口が確実になる。シール弁の形状を略半球状または有天円筒状以外の例えば板状等としてもよいことは勿論である。
【発明の効果】
【００１３】
本発明によれば、キャップ部材の係合片相互間のアクセス領域を通してシール弁の頂部上面に横方向からアクセス可能であり、かつ、シール弁の頂部上面周縁部がアクセス領域の底面とほぼ同じ高さで連続しているので、シール弁の頂部上面を容易に拭き取り消毒することができる。
【図面の簡単な説明】
【００１４】
【図１】本発明の一実施形態に係る混注管の斜視図である。
【図２Ａ】本発明の一実施形態に係る混注管を斜め上方から見た分解斜視図である。
【図２Ｂ】本発明の一実施形態に係る混注管を斜め下方から見た分解斜視図である。
【図３】混注管の弁体付近を拡大した拡大斜視図である。
【図４Ａ】混注管の管軸方向の断面図である。
【図４Ｂ】図４ＡのＢ−Ｂ線矢視断面図である。
【図４Ｃ】図４Ｂの一部を変形した部分拡大図である。
【図５】ロック式注射器やロック式コネクタの先端導管部でシール弁を押し開いた状態の混注管の断面図である。
【発明を実施するための形態】
【００１５】
以下、本発明の一実施形態を添付図面を参照して説明する。なお、図面中の同一又は同種の部分については、同じ番号を付することで適宜説明を省略する。
【００１６】
本発明の一実施形態に係る混注管１は、図１に示すように、樹脂で形成された混注管本体２と、この混注管本体２に一体形成されたキャップ取付部３と、当該キャップ取付部３に着脱自在に取り付けられた樹脂製のキャップ部材４と、このキャップ部材４の内側に収納されたほぼ半球状の弾性シール弁５で構成されている。
【００１７】
混注管本体２は、図２Ａに示すように、その上部に平面部２ａが形成され、この平面部２ａに円形ドーナッツ状のキャップ取付部３が一体形成されている。キャップ取付部３の中央には、混注管本体２の主流路２ｂに連通する円形の開口部３ａが形成されている。また、図２Ａ、図２Ｂのようにキャップ取付部３の下面に形成された左右一対の脚部３ｂが、混注管本体２を左右両側から挟み込む形で下方に延びている。この脚部３ｂは、混注管本体２を手で持つ場合は取手として機能し、また混注管本体２をテーブル等の上に置く場合は転倒防止用として機能する。
【００１８】
キャップ取付部３の周縁部に、上方に隆起した環状リブ３ｃが形成されている。環状リブ３ｃは先端が幅狭となるテーパ状に形成されている。キャップ部材４は円形蓋状を成し、その周縁部下面に外側環状リブ４ａと内側環状リブ４ｂが同心に形成されている。そして当該環状リブ４ａと４ｂの間に、キャップ取付部３の環状リブ３ｃが嵌合するようになっている。
【００１９】
キャップ取付部３の外周面に、図４Ｂのようにテーパ状に隆起した断面Ｖ字状の係合部３ｄが周方向に形成されている。一方、キャップ部材４の外周部は、混注管本体２の側方において下方に延びたカバー部４ｃを構成し、当該カバー部４ｃの内側面にテーパ状に隆起した断面Ｖ字状の被係合部４ｄが周方向に形成されている。そして、キャップ部材４をキャップ取付部３に取り付ける際、この被係合部４ｄがキャップ取付部３の係合部３ｄを弾性的に乗り越えて係合部３ｄの下側に嵌まることで、キャップ部材４がキャップ取付部３に固定されるようになっている。
【００２０】
キャップ部材４は、上面中央から立ち上がった短い円筒部４ｅを有し、この円筒部４ｅの内側に主流路２ｂに連通した分岐路４ｆが形成されている。また、円筒部４ｅの上部に係合部６が形成されている。この係合部６は、ロック式注射器やロック式コネクタを接続するためのもので、混注管本体２の軸線方向に対向した一対の係合片６ａ、６ｂで構成されている。各係合片６ａ、６ｂは上方に短く立ち上がった後、半径方向外方に突出している。そして当該突出端が、ロック式注射器やロック式コネクタの先端に形成された雌ネジの溝部に係合する凸条部１０を構成している。なお、係合片６ａ、６ｂの内側面には、図２Ａ、図３のように、分岐路４ｆの延在部９が形成されている。
【００２１】
一対の係合片６ａ、６ｂの間には、混注管本体２の横方向に向けて開いたアクセス領域１１が形成されている。このアクセス領域１１の横幅は、シール弁５の頂部の円筒状突出部５ｅの径（延在部９の相互間距離）よりはやや幅狭であるが、当該アクセス領域１１からシール弁５の頂部上面が目視可能とされている。
【００２２】
アクセス領域１１の底面１１ａの端は図３、図４Ｂのように下り斜面１１ｂに接続され、当該斜面１１ｂは、シール弁５の頂部上面の周縁部に形成された環状平面５ａに連続している。また、環状平面５ａの内側にはすり鉢状に窪んだ凹面５ｂが形成されている。従って、シール弁５の頂部上面に付着した血液や薬液は、アクセス領域１１を通じて容易に掻き出すことができる。
【００２３】
斜面１１ｂの角度は図示例では４５°であるが、この角度に限定されるものではなく、例えば２０〜６０°の任意の角度で形成することができる。また、図４Ｃのように前記下り斜面１１ｂを形成しないでアクセス領域１１の底面１１ａをやや幅狭とし、底面１１ａとその内側の環状平面５ａを同一高さで面一状に連続させ、底面１１ａの外側を下り傾斜１１ｃで円筒部４ｅの外周面に続けるようにしてもよい。
【００２４】
このように、アクセス領域１１からシール弁５の頂部上面全体が見通すことができ、かつ、シール弁５の頂部上面がアクセス領域１１の底面１１ａに滑らかに連続しているため、シール弁５の頂部上面に付着した血液や薬液を容易に拭き取り消毒することができる。また、アクセス領域１１は混注管本体２を横切るように一対で形成されているため、消毒用アルコールを含浸させた綿棒等の掃除具を、アクセス領域１１を通して水平に移動させることで、シール弁５の頂部上面を効率的に清掃消毒することができる。
【００２５】
シール弁５は、その下部の環状平面部５ｆがキャップ取付部３の上面の開口部３ａ周囲に載置され、当該環状平面部５ｆの上側にキャップ部材４が当接している。シール弁５の球状部５ｃは、キャップ部材４の内面に形成されたドーム状の保定部４ｇに嵌合している。この保定部４ｇにシール弁５が密着した状態で、シール弁５のスリット状の弁孔５ｄが完全に封口されるようになっている。シール弁５の頂部に形成された円筒状突出部５ｅは、弁孔５ｄが閉じた状態で、キャップ部材４の円筒部４ｅの内周面に隙間をあけて嵌合している。この隙間は、後述する図５の状態から先端導管部１２をシール弁５の頂部から離した時に、シール弁５の円筒状突出部５ｅが円筒部４ｅと干渉することなく円滑に上方に持ち上がるようにするためのものである。
【００２６】
混注管１は以上のように構成され、この混注管１にロック式注射器やロック式コネクタを接続する場合、図５のように、先端導管部１２の周囲に形成された雌ネジ１３ａ付きカラー１３を右回りに回転させて一対の係合片６ａ、６ｂに係合させる。カラー１３を右回りに回転させるにつれて係合片６ａ、６ｂの凸条部１０が雌ネジ１３ａに深く入っていくので、先端導管部１２の先端部によってシール弁５の環状平面５ａが押圧され、シール弁５の球状部５ｃが下方に反転屈曲する形で弁孔５ｄが押し開かれる。これにより、先端導管部１２の内部通路１２ａが分岐路４ｆを介して主流路２ｂに連通され、混注管１の主流路２ｂからの輸液の抽出や、主流路２ｂに対する薬液の混入が可能になる。
【００２７】
図５の状態からロック式注射器やロック式コネクタを取り外す場合は、雌ネジ１３ａ付きカラー１３を左回りに回転させる。これにより先端導管部１２が上昇し、それにつれてシール弁５の球状部５ｃが弾性で上方に持ち上がり、弁孔５ｄが自動的に封止される。先端導管部１２が混注管１から取り外された後、シール弁５の頂部上面に残った血液や薬液は、係合片６ａ、６ｂの間のアクセス領域１１を通して容易に拭き取り消毒することができる。
【００２８】
以上、本発明の実施形態について説明したが、本発明は前記実施形態に限定されることなく、種々の変形が可能である。例えば、前記実施形態では２つの係合片６ａ、６ｂで係合部を構成し、係合片相互間にアクセス領域を形成したが、このような係合片を３つ又は４つ設けて、前記アクセス領域を１２０度間隔で３方又は９０度間隔で４方に向けて形成してもよい。また、シール弁５は必ずしも半球状のものである必要はなく、有天円筒状であってもよい。また、ロック式注射器やロック式コネクタは先端導管部の周りに雌ネジ付きカラーを有するものの他、雄ネジ付きカラーを有するものもあるので、その場合は係合片６ａ、６ｂの凸条部１０を内向きに形成すればよい。
【符号の説明】
【００２９】
１      混注管
２      混注管本体
２ａ    平面部
２ｂ    主流路
３      キャップ取付部
３ａ    開口部
３ｂ    脚部
３ｃ    環状リブ
３ｄ    係合部
４      キャップ部材
４ａ    外側環状リブ
４ｂ    内側環状リブ
４ｃ    カバー部
４ｄ    被係合部
４ｅ    円筒部
４ｆ    分岐路
４ｇ    保定部
５      シール弁
５ａ    環状平面
５ｂ    凹面
５ｃ    球状部
５ｄ    弁孔
５ｅ    円筒状突出部
５ｆ    環状平面部
６      係合部
６ａ、６ｂ      係合片
１０    凸条部
１１    アクセス領域
１１ａ  底面
１１ｂ  斜面
１２    先端導管部
１２ａ  内部通路
１３    カラー
１３ａ  雌ネジ
【図１】
2014117461.tif 000003
【図２Ａ】
2014117461.tif 000004
【図２Ｂ】
2014117461.tif 000005
【図３】
2014117461.tif 000006
【図４Ａ】
2014117461.tif 000007
【図４Ｂ】
2014117461.tif 000008
【図４Ｃ】
2014117461.tif 000009
【図５】
2014117461.tif 000010